(57)【要約】【課題】  ベルトクリーナのバックアップローラを流れる電流値を正確に検出可能とする。【解決手段】  バックアップローラ２７に電気的に接続された電気配線部２７Ａを、ベルトユニット１３に設けられた電気配線部２７Ａ以外の他の電気配線部１３Ｅと共通化されることなく独立して設ける。これにより、電気配線部２７Ａ以外の他の電気配線部１３Ｅを流れる電流の影響を受けてしまうことが原理的に発生しないので、バックアップローラ２７に電気的に接続された電気配線部２７Ａを流れる電流値を正確に検出することが可能となる。延いては、放電等の過電流の発生を抑制できるので、転写ベルトが早期に劣化してしまうことを抑制でき、長期間に亘って安定した画像形成を行うことができる。【選択図】図５
2011237566.tif 000002
【特許請求の範囲】
【請求項１】
現像剤を記録シートに転写することにより記録シートに画像を形成する電子写真方式の画像形成装置であって、
第１ローラ及び第２ローラ間に張架された無端ベルトを有するベルトユニットと、
前記無端ベルトに対向配置され、静電吸引力により前記無端ベルトに付着した付着物を回収するクリーニング手段と、
前記ベルトユニットのうち前記無端ベルトを挟んで前記クリーニング手段と対向する位置に設けられ、前記クリーニング手段と異なる電位に設定されたバックアップ手段と、
前記ベルトユニットに設けられ、前記バックアップ手段に電気的に接続された電気配線部と、
前記電気配線部を流れる電流値を検出する電流検出手段とを備え、
前記電気配線部は、前記ベルトユニットに設けられた前記電気配線部以外の他の電気配線部と共通化されることなく独立して設けられていることを特徴とする画像形成装置。
【請求項２】
前記電流検出手段は、前記クリーニング手段と前記バックアップ手段との間に電圧を印加する電圧制御手段と一体化されていることを特徴とする請求項１に記載の画像形成装置。
【請求項３】
前記第１ローラの軸方向と平行な方向を幅方向と呼ぶとき、
前記ベルトユニットのうち、前記幅方向一端側に前記電気配線部と電気的に繋がる第１端子部が設けられ、前記幅方向他端側に前記他の電気配線部と電気的に繋がる第２端子部が設けられていることを特徴とする請求項１又は２に記載の画像形成装置。
【請求項４】
前記ベルトユニットは、前記第１ローラ及び前記第２ローラを支持するフレームを有しているとともに、装置本体に対して着脱自在に装着されており、
さらに、前記フレームのうち前記幅方向一端側に前記電気配線部と電気的に繋がる第１端子部が設けられ、前記幅方向他端側に前記他の電気配線部と電気的に繋がる第２端子部が設けられていることを特徴とする請求項３に記載の画像形成装置。
【請求項５】
前記第１ローラの軸方向と平行な方向において前記第１端子部と対向する位置には、前記電流検出手段が実装された電気基板が配設されていることを特徴とする請求項４に記載の画像形成装置。
【請求項６】
前記ベルトユニットのうち前記無端ベルトにより囲まれた空間には、複数の転写手段が配設され、
前記複数の転写手段と電気的に繋がった第３端子部は、前記無端ベルトの回転方向に沿って並んで配置されており、
さらに、前記第１端子部は、前記第３端子部間に配置されていることを特徴とする請求項３ないし５のいずれか１項に記載の画像形成装置。
【請求項７】
前記バックアップ手段は、前記無端ベルトに接して回転するローラにて構成されていることを特徴とする請求項１ないし６のいずれか１項に記載の画像形成装置。
【発明の詳細な説明】
【技術分野】
【０００１】
本発明は、電子写真方式の画像形成装置に関するものである。
【背景技術】
【０００２】
転写ベルトや搬送ベルト等の無端ベルトを有する電子写真方式の画像形成装置では、廃トナー等の画像形成に用いられなかった付着物が無端ベルトに付着したまま画像形成が行われると、形成される画像の品質が低下する。
【０００３】
このため、例えば特許文献１に記載の発明では、無端ベルトを挟んで一方側にクリーニングローラを配置し、他方側にバックアップローラを配置した状態で両ローラ間に電圧を印加することにより、クリーニングローラに静電吸引力を発生させて付着物を無端ベルトから回収している。
【０００４】
また、無端ベルトの回転に伴って無端ベルト及び無端ベルトを張架するための一対のローラ等が電荷（静電気）を帯びてしまうが、この電荷が高電圧となると、画像形成に悪影響を及ぼすので、特許文献１に記載の発明では、ローラに電気的に接続された除電用電気配線部を介して無端ベルト等に帯びた電荷を除電している。
【先行技術文献】
【特許文献】
【０００５】
【特許文献１】特開２００８−４６４０７号公報
【発明の概要】
【発明が解決しようとする課題】
【０００６】
ところで、クリーニングローラとバックアップローラとの間で放電が発生し、過電流が流れると、無端ベルトが早期に劣化してしまう。
すなわち、電荷を帯びた付着物が無端ベルトからクリーニングローラに回収されると、回収された付着物の総電荷量に相当する電流が、クリーニングローラとバックアップローラとの間に流れたこととなるが、放電が発生した場合には、回収された付着物の総電荷量を超える電流が流れる。
【０００７】
そこで、静電吸引力を利用して無端ベルトの付着物を回収する画像形成装置では、通常、バックアップローラに電気的に接続された電気配線部を流れる電流値を監視し、過電流が流れないように両ローラ間に印加する電圧を制御している。
【０００８】
しかし、特許文献１に記載の発明では、バックアップローラに電気的に接続された電気配線部の一部が、除電用電気配線部の少なくとも一部と共用化されているので、除電用電気配線部を流れる電流の影響を受けてしまい、バックアップローラに電気的に接続された電気配線部を流れる電流値を正確に検出することができないおそれがある。
【０００９】
このため、特許文献１に記載の発明では、精度よく印加電圧を制御することができないおそれがあるので、無端ベルトの劣化を効果的に抑制できない可能性が高い。
なお、この無端ベルトの劣化の問題は、無端ベルト上を搬送される用紙に直接的に現像剤像を転写するダイレクト方式は勿論のこと、無端ベルトに現像剤像を転写した後、その無端ベルトに転写された現像剤像を用紙に転写する中間転写方式の画像形成装置においても発生し得る問題である。
【００１０】
本発明は、上記点に鑑み、バックアップローラ等のバックアップ手段に電気的に接続された電気配線部を流れる電流値を正確に検出可能な技術を提供することを目的とする。
【課題を解決するための手段】
【００１１】
本発明は、上記目的を達成するために、現像剤を記録シートに転写することにより記録シートに画像を形成する電子写真方式の画像形成装置であって、第１ローラ（１３Ｂ）及び第２ローラ（１３Ｃ）間に張架された無端ベルト（１３Ａ）を有するベルトユニット（１３）と、無端ベルト（１３Ａ）に対向配置され、静電吸引力により無端ベルト（１３Ａ）に付着した付着物を回収するクリーニング手段（２１）と、ベルトユニット（１３）のうち無端ベルト（１３Ａ）を挟んでクリーニング手段（２１）と対向する位置に設けられ、クリーニング手段（２１）と異なる電位に設定されたバックアップ手段（２７）と、ベルトユニット（１３）に設けられ、バックアップ手段（２７）に電気的に接続された電気配線部（２７Ａ）と、電気配線部（２７Ａ）を流れる電流値を検出する電流検出手段（４０）とを備え、電気配線部（２７Ａ）は、ベルトユニット（１３）に設けられた電気配線部（２７Ａ）以外の他の電気配線部（１３Ｅ）と共通化されることなく独立して設けられていることを特徴とする。
【００１２】
これにより、本発明では、電気配線部（２７Ａ）以外の他の電気配線部（１３Ｅ）を流れる電流の影響を受けてしまうことが原理的に発生しないので、バックアップ手段（２７）に電気的に接続された電気配線部（２７Ａ）を流れる電流値を正確に検出することが可能となる。
【００１３】
延いては、放電等の過電流の発生を抑制できるので、無端ベルト（１３Ａ）が早期に劣化してしまうことを抑制でき、長期間に亘って安定した画像形成を行うことができる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１４】
【図１】本発明の実施形態に係る画像形成装置１の概略構成を示す中央断面図である。
【図２】本発明の実施形態に係るベルトユニット１３の斜視図である。
【図３】本発明の実施形態に係るベルトユニット１３の斜視図である。
【図４】本発明の実施形態に係るベルトクリーナ２０の構成を示す図である。
【図５】本発明の実施形態に係るベルトユニット１３における電気配線部２７Ａ等の実装状態を示す説明図である。
【図６】本発明の実施形態に係る印加電圧制御回路３０の概要を示す図である。
【発明を実施するための形態】
【００１５】
本実施形態は本発明に係る画像形成装置をダイレクトタンデムのカラー方式の画像形成装置に適用したものであり、以下に本実施形態を図面と共に説明する。
１．画像形成装置の概略構造
画像形成装置１の筐体３内には、図１に示すように、記録用紙やＯＨＰシート等の記録シート（以下、用紙という。）に現像剤像を転写することにより、用紙に画像を形成する電子写真方式の画像形成部５が収納されており、この画像形成部５は、プロセスカートリッジ７、露光器９及び定着器１１等から構成されている。
【００１６】
なお、本実施形態に係る画像形成装置１は、用紙の搬送方向に沿って直列に並んで複数個（本実施形態では、４個）のプロセスカートリッジ７Ｋ〜７Ｃが配設されたダイレクトタンデム方式の画像形成装置であり、各プロセスカートリッジ７Ｋ〜７Ｃは、現像剤像が担持される感光ドラム７Ａ、及び感光ドラム７Ａを帯電させる帯電器７Ｂ等から構成されている。なお、図１においては、紙面の都合上、シアン用のプロセスカートリッジ７Ｃのみに感光ドラム７Ａ及び帯電器７Ｂの符号を付した。
【００１７】
そして、帯電した感光ドラム７Ａが露光器９にて露光されて感光ドラム７Ａの外周面に静電潜像が形成された後、電荷を帯びた現像剤が感光ドラム７Ａに供給されると、感光ドラム７Ａの外周面に現像剤像が担持（形成）される。
【００１８】
なお、本実施形態では、現像剤は正電荷を帯び、一方、感光ドラム７Ａのうち露光器９にて露光された部分、つまり静電潜像部分は低電位となり、その他の部分は帯電器７Ｂにより帯電されたままの電位（静電潜像部分よりも高電位）となる。
【００１９】
このとき、現像剤は、静電潜像部分の電位（低電位）とその他の部分の電位（高電位）の中間の電位を有しているので、電荷を帯びた現像剤が静電潜像部分に吸着され、感光ドラム７Ａの外周面に現像剤像が担持される。
【００２０】
また、用紙を搬送する転写ベルト１３Ａを挟んで各感光ドラム７Ａと対向する位置には、感光ドラム７Ａに担持された現像剤を用紙に転写させる複数の転写ローラ１５が配設されており、これらの転写ローラ１５は、転写ベルト１３Ａにより囲まれた空間内において、用紙の搬送方向、つまり転写ベルト１３Ａの回転方向に沿って並んで設けられている。
【００２１】
そして、各転写ローラ１５には、現像剤との間で静電吸引力が発生するような電位、例えば現像剤が帯びている電荷と逆極性の電位（本実施形態では、負の電位）が印加されている。
【００２２】
このため、感光ドラム７Ａに担持されていた現像剤像は、転写ローラ１５側に移動して転写ベルト１３Ａにより搬送される用紙に転写される。その後、現像剤像が転写された用紙は、定着器１１に搬送されて加熱され、用紙に転写された現像剤像が用紙に溶着（定着）する。
【００２３】
また、転写ベルト１３Ａは、駆動ローラ１３Ｂ及び従動ローラ１３Ｃ間に架け渡されて張架された無端ベルトであり、両ローラ１３Ｂ、１３Ｃ及び複数の転写ローラ１５の軸方向両端側は、図２及び図３に示すように、フレーム１３Ｄにより支持されている。
【００２４】
そして、転写ベルト１３Ａ及び各ローラ１３Ｂ、１３Ｃ、１５等がフレーム１３Ｄを介して一体化されてベルトユニット１３が構成されているとともに、この一体化されたベルトユニット１３は、装置本体に対して着脱自在に装着されている。
【００２５】
因みに、本実施形態では、装置本体（筐体３）の前面側には、図１に示すように、開口部３Ｂ及びこの開口部３Ｂを開閉するフロントカバー３Ｃが設けられている。そして、フロントカバー３Ｃを前面側に倒すように開いて画像形成部５を取り外すことにより、その画像形成部５が装着されていた空間を通してベルトユニット１３を装置本体から取り外すことができる。
【００２６】
なお、装置本体とは、ベルトユニット１３及び画像形成部５等が組み付けられるメインフレーム３Ａ（図５参照）や筐体３等の通常使用時には分解等がされない部分をいう。
また、ベルトユニット１３より下方側には、図１に示すように、画像形成部５に搬送される用紙が載置される給紙トレイ１７が設けられており、この給紙トレイ１７は、装置本体に対して着脱自在に装着されている。
【００２７】
そして、ベルトユニット１３と給紙トレイ１７との間には、ベルトクリーナ２０のベルトクリーナユニット１９が装置本体に着脱自在に設けられている。
２．ベルトクリーナの詳細構造
ベルトクリーナ２０は、転写ベルト１３Ａの表面に付着した現像剤等の付着物を除去する装置であり、ベルトクリーナユニット１９は転写ベルト１３Ａを挟んでプロセスカートリッジ７と反対側に配設されている。
【００２８】
すなわち、ベルトクリーナ２０は、ベルトクリーナユニット１９及び印加電圧制御回路３０（図６参照）等から構成されており、ベルトクリーナユニット１９は、図４に示すように、クリーニングローラ２１、クリーニングシャフト２２、剥離ブレード２３、飛散防止ブレード２４及びアジテータ２５等から構成されている。
【００２９】
クリーニングローラ２１は、転写ベルト１３Ａと対向配置されて転写ベルト１３Ａの表面に付着した付着物（主に、現像剤）を転写ベルト１３Ａから回収するクリーニング手段であり、クリーニングシャフト２２はクリーニングローラ２１の表面に付着した現像剤を回収して現像剤収容部２６に搬送する回収手段である。
【００３０】
一方、転写ベルト１３Ａを挟んでクリーニングローラ２１と反対側には、転写ベルト１３Ａをクリーニングローラ２１に押し付けるためのバックアップローラ２７が設けられている。
【００３１】
そして、クリーニングローラ２１とバックアップローラ２７との間、及びクリーニングローラ２１とクリーニングシャフト２２との間には、現像剤との間で静電吸引力が発生するような電圧が印加されている。
【００３２】
すなわち、本実施形態では、現像剤が正電荷を帯びていることから、バックアップローラ２７を接地（アース）側に電気的に接続してその電位を０Ｖとするとともに、クリーニングローラ２１及びクリーニングシャフト２２に、現像剤が帯びている電荷と反対の極性を有する電位（本実施形態では、負電位）を印加している。
【００３３】
これにより、クリーニングローラ２１と現像剤との間に発生する静電吸引力により転写ベルト１３Ａの表面に付着した現像剤がクリーニングローラ２１に静電吸着されて転写ベルト１３Ａがクリーニングされる。
【００３４】
このとき、クリーニングシャフト２２へ印加される電位の絶対値がクリーニングローラ２１へ印加される電位の絶対値より大きくなるように制御されているので、クリーニングローラ２１に静電吸着されている現像剤は、静電吸引力によりクリーニングシャフト２２に転写されるようにしてクリーニングローラ２１から回収される。
【００３５】
因みに、本実施形態では、クリーニングローラ２１への印加電位は約−１８００Ｖであり、クリーニングシャフト２２への印加電位は約−１４００Ｖである。
そして、クリーニングシャフト２２の表面に回収された現像剤は、薄板状の剥離ブレード２３によって掻き落とされ、この掻き落とされた現像剤は、飛散防止ブレード２４によりクリーニングローラ２１側に飛散してしまうことを防止されるとともに、アジテータ２５により現像剤収容部２６に搬送される。
【００３６】
因みに、クリーニングローラ２１の表面は、ウレタンゴム等の多孔質弾性体で構成されているのに対して、クリーニングシャフト２２及びバックアップローラ２７の表面は硬質な材料（本実施形態では、金属）にて構成されている。
【００３７】
ところで、バックアップローラ２７は、ベルトユニット１３（フレーム１３Ｄ）に回転可能に組み付けられており、ベルトユニット１３（フレーム１３Ｄ）には、図５に示すように、バックアップローラ２７を接地側に接続するための電気配線部２７Ａが設けられている。
【００３８】
そして、電気配線部２７Ａは、バックアップローラ２７を回転可能に支持する金属製の軸受部（図示せず。）介してバックアップローラ２７と電気的に接続された金属板からなる導電部材であり、この電気配線部２７Ａは、フレーム１３Ｄの幅方向一端側に設けられた第１端子部２７Ｂと電気的に繋がっている。
【００３９】
なお、幅方向とは、駆動ローラ１３Ｂの軸方向と平行な方向をいい、本実施形態では、左右方向と一致する。このため、本実施形態では、フレーム１３Ｄの右端側に第１端子部２７Ｂが設けられた構成となる。
【００４０】
また、フレーム１３Ｄの右端側には、第１端子部２７Ｂに加えて各転写ローラ１５に電位を印加するための給電端子部１５Ａが設けられており、これらの給電端子部１５Ａ及び第１端子部２７Ｂは、メインフレーム３Ａに設けられた端子部２９Ａを介して電気基板２９に電気的に接続されている。そして、バックアップローラ２７は、電気基板２９のコモン（アース）回路２９Ｄ（図６参照）を経由して接地側に接続されている。
【００４１】
一方、フレーム１３Ｄの左端側には、駆動ローラ１３Ｂ、従動ローラ１３Ｃ及び転写ベルト１３Ａを除電する除電部材１３Ｆと電気的に接続された電気配線部１３Ｅと繋がった第２端子部１３Ｇが設けられており、この第２端子部１３Ｇは、メインフレーム３Ａに設けられた端子部２９Ｂを介して電気基板２９Ｃに電気的に接続されている。そして、駆動ローラ１３Ｂ等は、電気基板２９Ｃを介して接地側に接続されている。
【００４２】
なお、端子部２９Ａは、装置本体のうちフレーム１３Ｄの右端側に面したメインフレーム３Ａに設けられ、端子部２９Ｂは、装置本体のうちフレーム１３Ｄの左端側に面したメインフレーム３Ａに設けられている。
【００４３】
したがって、本実施形態では、図５に示すように、バックアップローラ２７と電気的に接続された電気配線部２７Ａは、電気配線部２７Ａ以外の他の電気配線部１３Ｅと共通化されることなく独立してベルトユニット１３に設けられた構成となっている。
【００４４】
３．ベルトクリーナの制御部
ベルトクリーナ２０（クリーニングローラ２１及びクリーニングシャフト２２）に電圧を印加する印加電圧制御回路３０は、図６に示すように、第１電圧印加回路３１、第２電圧印加回路３２、及び制御部３３等から構成されている。
【００４５】
そして、第１電圧印加回路３１はクリーニングローラ２１に電圧を印加することによりクリーニングローラ２１に所定電位を発生させる印加手段であり、第２電圧印加回路３２はクリーニングシャフト２２に電圧を印加することによりクリーニングローラ２１に所定電位を発生させる印加手段である。
【００４６】
制御部３３は、第１電圧印加回路３１及び第２電圧印加回路３２等を制御する制御手段であり、この制御部３３は、ＣＰＵ、ＲＯＭ及びＲＡＭ等から構成された周知のマイクロコンピュータにて構成されたものである。
【００４７】
因みに、本実施形態では、制御部３３は、ＡＳＩＣ（Application Specific Integrated Circuit ）３４等の駆動制御用集積回路を介して第１電圧印加回路３１及び第２電圧印加回路３２をパルス幅変調（ＰＷＭ）制御する。
【００４８】
また、第１電圧検出回路３５はクリーニングローラ２１に印加されている電圧（電位）を検出する第１電圧検出手段であり、第２電圧検出回路３６はクリーニングシャフト２２に印加されている電圧（電位）を検出する第２電圧検出手段である。
【００４９】
電流検出回路４０は、端子部２９Ａ及び第１端子部２７Ｂを介して電気配線部２７Ａに電気的に接続されているとともに、電気配線部２７Ａに流れる電流値、つまりバックアップローラ２７とクリーニングローラ２１との間に流れる電流値を検出するための電流検出手段である。
【００５０】
そして、第１電圧検出回路３５及び第２電圧検出回路３６で検出された電圧、並びに電流検出回路４０からの検出信号は、ＡＳＩＣ３４に組み込まれたＡ／Ｄコンバータ３４Ａを介して制御部３３に入力されており、制御部３３は、電流検出回路４０からの信号に基づいてバックアップローラ２７とクリーニングローラ２１との間に流れる電流を検出する。
【００５１】
なお、印加電圧制御回路３０等が実装された電気基板２９は、図５に示すように、幅方向においてベルトユニット１３を挟むように対向配置された一対のメインフレーム３Ａのうち、第１端子部２７Ｂと対向するメインフレーム３Ａであって第１端子部２７Ｂと反対側の面に組み付けられており、この電気基板２９には、転写ローラ１５や帯電器７Ｂ等の画像形成部５への印加電圧を制御する電圧制御回路も実装されている。
【００５２】
４．ベルトクリーナの作動の概要
ベルトクリーナ２０は、転写ベルト１３Ａに付着した現像剤を静電吸引力にて回収するので、転写ベルト１３Ａの経年変化や劣化等により転写ベルト１３Ａのインピーダンスが小さくなると、クリーニングローラ２１と転写ベルト１３Ａとの間で大きな放電（過電流）が発生し易くなる。そして、クリーニングローラ２１と転写ベルト１３Ａとの間で大きな放電が多発すると、転写ベルト１３Ａ及びクリーニングローラ２１の劣化が著しく進行してしまう。
【００５３】
そこで、本実施形態では、電流検出回路４０を介して検出された値に基づいてクリーニングローラ２１と転写ベルト１３Ａとの間を流れる電流値、つまり電気配線部２７Ａを流れる電流値を検出し、この検出された電流値の絶対値（以下、この値を検出電流値という。）が所定値以上となったときに、検出電流値が所定値以上となる前に比べて小さくなるように、第１電圧印加回路３１を制御している。
【００５４】
なお、上記の所定値とは、クリーニングローラ２１と転写ベルト１３Ａとの間で大きな放電が発生する可能性が高い電流値であって、通常、試験等により決定された値である。
５．本実施形態に係る画像形成装置（特に、ベルトユニット）の特徴
本実施形態では、バックアップローラ２７に電気的に接続された電気配線部２７Ａは、ベルトユニット１３に設けられた電気配線部２７Ａ以外の他の電気配線部１３Ｅと共通化されることなく独立して設けられていることを特徴としている。
【００５５】
これにより、本実施形態では、電気配線部２７Ａ以外の他の電気配線部１３Ｅを流れる電流の影響を受けてしまうことが原理的に発生しないので、バックアップローラ２７に電気的に接続された電気配線部２７Ａを流れる電流値を正確に検出することが可能となる。
【００５６】
延いては、放電等の過電流の発生を抑制できるので、転写ベルト１３Ａが早期に劣化してしまうことを抑制でき、長期間に亘って安定した画像形成を行うことができる。
また、本実施形態では、電流検出回路４０は、クリーニングローラ２１とバックアップローラ２７との間に電圧を印加する第１電圧印加回路３１と一体化されて印加電圧制御回路３０となっていることを特徴とする。
【００５７】
これにより、本実施形態では、電流検出回路４０と第１電圧印加回路３１とを別体とした構成に比べて電気系の構成を簡素なものとして画像形成装置の製造原価低減を図ることができる。
【００５８】
また、本実施形態では、図５に示すように、バックアップローラ２７用の第１端子部２７Ｂは、転写ローラ１５用の給電端子部１５Ａ間に配置されていることを特徴としているので、本実施形態では、第１端子部２７Ｂ及び給電端子部１５Ａから装置本体（電気基板２９）側への電気的接続を簡素な構成とすることができる。
【００５９】
６．発明特定事項と実施形態との対応関係
本実施形態では、転写ベルト１３Ａが特許請求の範囲に記載された無端ベルトに相当し、クリーニングローラ２１が特許請求の範囲に記載されたクリーニング手段に相当し、バックアップローラ２７が特許請求の範囲に記載されたバックアップ手段に相当する。
【００６０】
また、電流検出回路４０が特許請求の範囲に記載された電流検出手段に相当し、第１電圧印加回路３１が特許請求の範囲に記載された電圧制御手段に相当し、給電端子１５Ａが特許請求の範囲に記載された第３端子部に相当する。
【００６１】
（その他の実施形態）
上述の実施形態では、バックアップローラ２７側（電気配線部２７Ａ側）が接地されていたが、本発明はこれに限定されるものではなく、例えば現像剤が負電荷を帯びている場合には、クリーニングローラ２１又はクリーニングシャフト２２側を接地してもよい。
【００６２】
また、電気配線部２７Ａを流れる電流値を検出する具体的な手法は、最終的に電流値を検出することができれば、どのような手法でもよく、電流値を直接的に検出する手法、電圧値から間接的に検出する手法、及び磁界や電界の変化からに検出する手法等のいずれであってもよい。
【００６３】
また、上述の実施形態では、転写ベルト１３Ａ上を搬送される用紙に直接的に現像剤像を転写するダイレクト方式であったが、本発明はこれに限定されるものではなく、転写ベルト１３Ａに現像剤像を転写した後、その転写ベルト１３Ａに転写された現像剤像を用紙に転写する中間転写方式にも適用できる。
【００６４】
また、上述の実施形態では、駆動ローラ１３Ｂ等は、電気基板２９Ｃを介して接地側に接続されていたが、本発明はこれに限定されるものではなく、電気基板２９Ｃを経由することなく、直接的に接地側に接続してもよい。
【００６５】
また、上述の実施形態では、クリーニング手段及びバックアップ手段をローラにて構成したが、本発明はこれに限定されるものではなく、例えばブラシやブレード等の非回転部材にてクリーニング手段及びバックアップ手段を構成してもよい。
【００６６】
また、本発明は、特許請求の範囲に記載された発明の趣旨に合致するものであればよく、上述の実施形態に限定されるものではない。
【符号の説明】
【００６７】
１…画像形成装置、３…筐体、３Ａ…メインフレーム、５…画像形成部、
７…プロセスカートリッジ、７Ａ…感光ドラム、７Ａ…及び感光ドラム、
７Ｂ…帯電器、９…露光器、１１…定着器、１３…ベルトユニット、
１３Ａ…転写ベルト、１３Ｂ…駆動ローラ、１３Ｃ…従動ローラ、
１３Ｄ…フレーム、１３Ｅ…電気配線部、１３Ｆ…除電部材、１３Ｇ…第２端子部、
１５…転写ローラ、１５Ａ…給電端子、１５Ａ…給電端子部、１７…給紙トレイ、
１９…ベルトクリーナユニット、２０…ベルトクリーナ、
２１…クリーニングローラ、２２…クリーニングシャフト、
２３…剥離ブレード、２４…飛散防止ブレード、２５…アジテータ、
２６…現像剤収容部、２７…バックアップローラ、２７Ａ…電気配線部、
２７Ｂ…第１端子部、２９…電気基板、２９Ａ…端子部、２９Ｂ…端子部、
２９Ｃ…電気基板、３０…印加電圧制御回路、３１…第１電圧印加回路、
３２…第２電圧印加回路、３３…制御部、３４Ａ…Ａ／Ｄコンバータ、
３５…第１電圧検出回路、３６…第２電圧検出回路、４０…電流検出回路。
【図１】
2011237566.tif 000003
【図２】
2011237566.tif 000004
【図３】
2011237566.tif 000005
【図４】
2011237566.tif 000006
【図５】
2011237566.tif 000007
【図６】
2011237566.tif 000008